(57)【特許請求の範囲】
【請求項１】
接続しようとする隣接する屋根板材本体の被接続部を支持する支持部を上端側に有していて、下端側に屋根下地材への固定部を有している第１の止め金具と、
上記第１の止め金具に着脱自在に取付けられて、上記支持部との間で上記隣接する屋根板材本体の被接続部を挟着する接続金具と、
上記接続金具によって接続された隣接する屋根板材本体の被接続部を覆うように取付けられるキャップ部と、
を備えた縦葺屋根板材の接続構造において、
上記第１の止め金具で上記屋根下地材上に設けられている既存の瓦棒葺屋根の接続部を覆うと共に、上記第１の止め金具を上記瓦棒葺屋根の接続部に固定する第２の止め金具を備えている
ことを特徴とする縦葺屋根板材の接続構造。
【請求項２】
請求項１において、
上記第２の止め金具は、上記第１の止め金具と接続金具との間に挟持される
ことを特徴とする縦葺屋根板材の接続構造。
【請求項３】
請求項１又は請求項２において、
上記第１の止め金具は、隣接する屋根板材本体の被接続部の一部を当接させることにより、屋根板材本体の位置決めを行なう屋根板材本体位置決め部を有している
ことを特徴とする縦葺屋根板材の接続構造。
【発明の詳細な説明】
【０００１】
【発明の属する技術分野】
本発明は、縦葺屋根板材の接続構造に関するものであり、特に互に接続しようとする隣接する屋根板材本体の位置決めを容易に行うことができるようにすると共に、既存の瓦棒葺屋根の上に被せるようにして堅牟な縦葺屋根を形成することができるようにしたものである。
【０００２】
【従来の技術】
縦葺屋根板材の接続構造として図１４に示したものが知られている。上記接続構造１０１は、互に接続しようとする隣接する屋根板材本体１０２，１０２の被接続部１０２ａを支持する支持部１０３ａを上端側に有していて、下端側に屋根下地材２０１及び防水シート２０２上への固定部１０３ｂを有している止め金具１０３と、上記止め金具１０３に着脱自在に取付けられて、上記支持部１０３ａとの間で上記隣接する屋根板材本体１０２の被接続部１０２ａを挟着する接続金具１０４と、上記接続金具１０４によって接続された上記互に隣接する屋根板材本体１０２，１０２の被接続部１０２ａを覆うように取付けられるキャップ部１０５と、を備えている。
【０００３】
図１５に示したように、上記止め金具１０３は、上記支持部１０３ａを中心にし、その両側部を同方向に略直角に折り曲げて一対の脚部１０３ｃ，１０３ｃを形成すると共に、これら一対の脚部１０３ｃ，１０３ｃの下端を外側に向けて略直角に折り曲げて一対の固定部１０３ｂ，１０３ｂを設けることにより形成されている。上記支持部１０３ａの中央は平坦部１０３ｄになっていると共に、その両側部は緩やかな傾斜部１０３ｅ，１０３ｅになっている。上記平坦部１０３ｄの中心部には、ボルト挿通孔１０３ｆが設けられていて、ボルト１１１とナット１１２により、上記支持部１０３ａ上に上記接続金具１０４が着脱自在になっている。また、上記固定部１０３ｂの中心部には、釘挿通孔１０３ｇが設けられていて、釘１１３により、上記固定部１０３ｂ及び止め金具１０３が上記屋根下地材２０１上に固定されるようになっている。
【０００４】
上記接続金具１０４は、上記止め金具１０３の支持部１０３ａの中央の平坦部１０３ｄ上に載置される矩形状の底面板１０４ａと、該底面板１０４ａの四周に起立状の壁面板１０４ｂを介して設けられた長方形の枠形状のフランジ部１０４ｃと、該枠形状のフランジ部１０４ｃの対向する長辺側の外縁に連設された一対の被接続部カバー部１０４ｄ，１０４ｄを備えている。
【０００５】
上記接続金具１０４は、上記底面板１０４ａの中心部にボルト挿通孔１０４ｅを有していて、該ボルト挿通孔１０４ｅは、上記止め金具１０３のボルト挿通孔１０３ｆと重なり合うようになっている。
【０００６】
上記従来の接続構造においては、先ず図１６に示したように屋根下地材２０１上に防水シート２０２を敷設して、その上に、所定幅及び所定間隔をもって上記止め金具１０３を釘１１３で固定する。
【０００７】
次に、図１７に示したように上記止め金具１０３の両側部に互に接続しようとする屋根板材本体１０２，１０２を配置し、これら屋根板材本体１０２の被接続部１０２ａを上記支持部１０３ａの平坦部１０３ｄの両側の緩やかな傾斜部１０３ｅに載置する。
【０００８】
次に、図１８に示したように、上記支持部１０３ａの平坦部１０３ｄ上に上記接続金具１０４を乗せて、ボルト１１１、ナット１１２で固定し、上記屋根板材本体１０２の被接続部１０２ａの端部を上記被接続部カバー部１０４ｄで覆うようにして、上記被接続部１０２ａを上記接続金具１０４のフランジ部１０４ｃと上記止め金具１０３の支持部１０３ａの間で挟着する。
【０００９】
次に、図１９に示したように、上記一対の屋根板材本体１０２，１０２の被接続部１０２ａ，１０２ａを覆うようにしてキャップ部１０５を取付けることにより、上記従来の縦葺屋根板材の接続構造が構成される。
【００１０】
【発明が解決しようとする課題】
ところで上記従来の縦葺屋根板材の接続構造には次に述べるような問題点があった。
（１）図２０に示したように、従来から存在する古い瓦棒葺屋根３０１の上に重ね合わせるようにして縦葺屋根を形成する場合に、屋根下地材２０１等が老朽化している場合に、上記止め金具１０３を釘１１３等を屋根下地材２０１に打ち込んでも釘１１３等が利きにくく、止め金具１０３をしっかりと固定できない場合等が発生する。
（２）上記止め金具１０３には、その両側部に配置した屋根板材本体１０２の位置決めを行う位置決め部が設けられていなかったために、図１７に示した段階で屋根板材本体１０２の被接続部１０２ａの位置決めを行うのが難しい。上記止め金具１０３に接続金具１０４を取付け、該接続金具１０４の壁面板１０４ｂを利用し、これに、上記被接続部１０２ａの一部を突き当てて屋根板材本体１０２の位置決めをすることも考えられるが、上記接続金具１０４を取付けてしまうと、接続金具１０４と止め金具１０３の間に上記被接続部１０２ａを挿入するのが困難になる。
【００１１】
本発明は、上記従来の問題点を解決することを目的として成されたものである。
【００１２】
【課題を解決するための手段】
請求項１の発明は、接続しようとする隣接する屋根板材本体の被接続部を支持する支持部を上端側に有していて、下端側に屋根下地材への固定部を有している第１の止め金具と、上記第１の止め金具に着脱自在に取付けられて、上記支持部との間で上記隣接する屋根板材本体の被接続部を挟着する接続金具と、上記接続金具によって接続された隣接する屋根板材本体の被接続部を覆うように取付けられるキャップ部と、を備えた縦葺屋根板材の接続構造において、
上記第１の止め金具で上記屋根下地材上に設けられている既存の瓦棒葺屋根の接続部を覆うと共に、上記第１の止め金具を上記瓦棒葺屋根の接続部に固定する第２の止め金具を設け、
上記屋根下地材が老朽化して、上記第１の止め金具だけでは屋根下地材にしっかりと固定することが困難な場合でも、上記第２の止め金具を使用することにより、より確実に固定することができるようにした。
請求項２の発明は、請求項１の縦葺屋根板材の接続構造において、
上記第２の止め金具を、上記第１の止め金具と接続金具との間に挟持する構成とすることにより、
第２の止め金具の第１の止め金具への組み付けを容易に行うことができるようにした。
【００１３】
請求項３の発明は、請求項１又は請求項２の縦葺屋根板材の接続構造において、
上記第１の止め金具に、隣接する屋根板材本体の被接続部の一部を当接させることによって屋根板材本体の位置決めを行う屋根板材本体位置決め部を設けることにより、
上記第１の止め金具に接続金具を取付ける前でも上記屋根板材本体の位置決めを行うことができるようにした。
【００１４】
【発明の実施の形態】
図１は、本発明の縦葺屋根板材の接続構造を示す正面図である。上記縦葺屋根板材の接続構造１は、互に接続しようとする隣接する屋根板材本体２の被接続部２ａを支持する支持部３ａを上端側に有していて、下端側に屋根下地材２０１及び防水シート２０２側への固定部３ｂを有している第１の止め金具３と、上記第１の止め金具３に着脱自在に取付けられて、上記支持部３ａとの間で上記隣接する屋根板材本体２，２の被接続部２ｃ，２ｃを挟着する接続金具４と、上記接続金具４によって接続された隣接する屋根板材本体２，２の被接続部２ｃ，２ｃを覆うように取付けられるキャップ部５とを備えている。
【００１５】
上記第１の止め金具３は、隣接する屋根板材本体２，２の被接続部２ｃ，２ｃの一部を当接させることにより、屋根板材本体２，２の位置決めを行う屋根板材本体位置決め部３ｄ，３ｇを有している。
【００１６】
上記第１の止め金具３は、上記屋根下地材２０１上に設けられている既存の瓦棒葺屋根３０１の接続部３０２を覆うことができるように形成されていると共に、上記瓦棒葺屋根３０１の接続部３０２の心木３０３或は図２に示す垂木３０４に固定する第２の止め金具６を備えている。
【００１７】
図３に示したように、上記屋根板材本体２は、フラット状のベース部２ａと、該ベース部２ａの幅方向の両側部に設けられた傾斜状の立上部２ｂと、該立上部２ｂの端部に設けられた上記被接続部２ｃを備えている。上記被接続部２ｃは、第１，第２，第３の折曲部２ｄ，２ｅ，２ｆにより略Ｖ字状に形成されている。２ｇはベース部２ａに形成された段部、２ｈはリブ部である。上記屋根板材本体２は、金属板を折り曲げることにより形成されている。
【００１８】
図４に示したように、上記第１の止め金具３は、上記支持部３ａと、該支持部３ａの両側部に連設された一対の脚部３ｂ，３ｂと、これら一対の脚部３ｂ，３ｂの端部に連設された一対の固定部３ｃ，３ｃとからなっている。
【００１９】
上記支持部３ａは、第１の屋根板材位置決め部及びスペーサとしての一対の起立壁３ｄ，３ｄを介して、後に詳しく説明する接続金具４を載置する平坦部３ｅが設けられている。上記平坦部３ｅの中心部には、ボルト挿通孔３ｆが設けられていて、ボルト１１１とナット１１２により、上記平坦部３ｅ上に次に説明する第２の止め金具６及び接続金具４が着脱自在に取付けられるようになっている。
【００２０】
また、上記一対の脚部３ｂ，３ｂは、上記支持部３ａの両側部に連続する第２の屋根板材位置決め部としての傾斜部３ｇ，３ｇと、これら傾斜部３ｇ，３ｇに連続する垂直部３ｈ，３ｈとからなっていて、これら垂直部３ｈ，３ｈの下端を外方に向けて略垂直に折り曲げることにより、上記一対の固定部３ｃ，３ｃが形成されている。
【００２１】
上記固定部３ｃ，３ｃの中心部には釘挿通孔３ｉが設けられていて、釘１１３により、上記固定部３ｃが上記屋根下地材２０１に固定されるようになっている。３ｊは、上記脚部３ｂと固定部３ｃの間に跨って形成された補強用のリブ部である。上記第１の止め金具３は、金属板を折り曲げることにより形成されている。
【００２２】
また、上記第２の止め金具６は、上記第１の止め金具３の平坦部３ｅ上に重ね合わせる矩形状の重合部６ａと、該重合部６ａの長さ方向の両端部を同方向に略垂直に折り曲げることにより形成された一対の脚部６ｂ，６ｂと、これら脚部６ｂ，６ｂの下端を外側に向けて略直角に折り曲げることにより形成された固定部６ｃ，６ｃを有している。
【００２３】
上記重合部６ａの中心部には、該重合部６ａを上記第１の止め金具３の平坦部３ｅ上に重ね合わせたときに、該平坦部３ｅに設けたボルト挿通孔３ｆと連通するボルト挿通孔６ｄが設けられていて、上記ボルト１１１とナット１１２により上記第１の止め金具３に取付られるようになっている。また、上記一対の固定部６ｃ，６ｃの中心部には釘挿通孔６ｅが設けられている。上記第２の止め金具６は、金属板を折り曲げることにより形成されている。
【００２４】
上記接続金具４は、矩形状に形成されていて、長辺側に一対の被接続部カバー部４ａ，４ａが設けられ、短辺側に一対の回転阻止用の突部４ｂ，４ｂが設けられている。
【００２５】
上記接続金具４は、上面の中心部にボルト挿通孔４ｃを有し、該ボルト挿通孔４ｃの両側には補強用のリブ部が設けられている。上記接続金具４は金属板を折り曲げることにより形成されている。
【００２６】
そして、上記第１の止め金具３上に第２の止め金具６を重ね合わせ、更にその上に接続金具４を重ね合わせて、ボルト１１１、ナット１１２で三者は一体的に結合されて使用されるようになっている。
【００２７】
図５に示したように、上記キャップ部５は、略逆Ｕ字状のキャップ本体部５ａと、該キャップ本体部５ａの両側部に設けられた一対の略Ｖ字状の係合部５ｂ，５ｂを備えている。そして、図１に示したように、上記一対の係合部５ｂ，５ｂを、上記止め金具３等を挟んで隣接する屋根板材本体２，２のＶ字状の被接続部２ｃ，２ｃに係合することにより、上記第１の止め金具３等の上方を覆うようにして、上記一対の屋根板材本体２，２間に組付けられるようになっている。
【００２８】
次に、図６に示すように既存の瓦棒葺屋根３０１の上に本発明の接続構造を使用して縦葺屋根を形成する場合を例にとって説明する。
【００２９】
先ず、図７に示したように、第１の止め金具３上に第２の止め金具６を重ね合わせた状態で、これを上記既存の瓦棒葺屋根３０１の接続部３０２に配置し、第１の止め金具３を釘１１３等で屋根下地材２０１に固定すると共に、第２の止め金具６を釘１１３等で屋根下地材２０１側に固定する。上記第２の止め金具６の固定は、図７に示したように釘１１３を上記瓦棒葺屋根３０１の接続部３０２内の心木３０３に打ち込み、或は図８に示したように垂木３０４に打ち込むことにより行われる。
【００３０】
次に、図９に示したように、第１の止め金具３の両側部に配置した屋根板材本体２，２の被接続部２ｃの最外端部（上記第１の折曲部２ｄと第２の折曲部２ｅとの連続部）２ｉを上記第１の止め金具３の第１の屋根板材位置決め部としての起立壁３ｄに当接させると共に、上記屋根板材本体２，２の傾斜部２ｂの上端部を上記第１の止め金具３の第２の屋根板材位置決め部としての傾斜部３ｇに当接させて、上記屋根板材本体２，２の位置決めを行う。
【００３１】
次に、図１０に示したように、上記ボルト１１１とナット１１２を使用して接続金具４を取付けて、該接続金具４と上記第１の止め金具３の間で上記屋根板材本体２，２の被接続部２ｃ，２ｃを挟着すると共に、これら被接続部２ｃ，２ｃに上記キャップ部５を被せることにより、図１に示した本発明の縦葺屋根板材の接続構造１が構成されるのである。
【００３２】
図１１は、第１の止め金具３の変形例を示す。この変形例において、第１の止め金具３の支持部３ａは、フラットに形成されている。そして、上記第２の止め金具６と接続金具４の間には、ナット４０１やプラスチック等のスペーサ４０２が介在されて、図１２に示したように、第１の止め金具３の支持部３ａと接続金具４の間に、屋根板材本体２の被接続部２ａの収容空間５０１を形成するようになっている。他の構成は、図１〜図１０に示した基本例と同じであるので同一構成部分には同一符号を付して重複する説明を省略する。
【００３３】
また、図１３は、新しい屋根下地材２０１上に縦葺屋根を形成する場合を示すものであり、この場合に第２の止め金具６は必要に応じて使用され、必要ない場合には取除かれる。なお、上記実施例において、第２の止め金具６は、第１の止め金具３に対して着脱自在としたが第１の止め金具３と一体的に形成してもよい。
【００３４】
【発明の効果】
本発明の縦葺屋根板材の接続構造には次に述べるような効果がある。
（１）請求項１の縦葺屋根板材の接続構造は、第１の止め金具に第２の止め金具を設けたので、屋根下地材が老朽化していて、第１の止め金具だけでは固定が不充分な場合に、第２の止め金具を使用することにより固定をより確実なものにすることができる。
（２）請求項２の縦葺屋根板材の接続構造は、第２の止め金具の第１の止め金具への組み付けを容易に行うことができる。
（３）請求項３の縦葺屋根板状の接続構造は、第１の止め金具に屋根板材本体の位置決めを行う屋根板材本体位置決め部を設けたので、従来のように接続金具を取付けなくとも、屋根板材本体の位置決めを行うことができる。
【図面の簡単な説明】
【図１】本発明の断面図。
【図２】本発明の断面図。
【図３】屋根板材本体の断面図。
【図４】（Ａ）は要部の分解斜視図、（Ｂ）は要部の斜視図。
【図５】キャップ部の断面図。
【図６】縦葺屋根の斜視図。
【図７】組立工程図。
【図８】組立工程図。
【図９】組立工程図。
【図１０】組立工程図。
【図１１】変形例の分解斜視図。
【図１２】変形例を使用した断面図。
【図１３】屋根下地材上に新規に縦葺屋根を形成する場合を示す斜視図。
【図１４】従来例の断面図。
【図１５】（Ａ）は従来例の要部の分解斜視図、（Ｂ）は要部の斜視図。
【図１６】従来例の組立工程図。
【図１７】従来例の組立工程図。
【図１８】従来例の組立工程図。
【図１９】従来例の組立工程図。
【図２０】従来例の問題点を示す断面図。
【符号の説明】
１…縦葺屋根板材の接続構造、２…屋根板材本体、２ｃ…被接続部、３…第１の止め金具、３ａ…支持部、３ｂ…固定部、３ｄ，３ｇ…屋根板材本体位置決め部、４…接続金具、５…キャップ部、６…第２の止め金具、２０１…屋根下地材、３０１…瓦棒葺屋根、３０２…瓦棒葺屋根の接続部。
【図１】
0004376426.tif 000002
【図２】
0004376426.tif 000003
【図３】
0004376426.tif 000004
【図４】
0004376426.tif 000005
【図５】
0004376426.tif 000006
【図６】
0004376426.tif 000007
【図７】
0004376426.tif 000008
【図８】
0004376426.tif 000009
【図９】
0004376426.tif 000010
【図１０】
0004376426.tif 000011
【図１１】
0004376426.tif 000012
【図１２】
0004376426.tif 000013
【図１３】
0004376426.tif 000014
【図１４】
0004376426.tif 000015
【図１５】
0004376426.tif 000016
【図１６】
0004376426.tif 000017
【図１７】
0004376426.tif 000018
【図１８】
0004376426.tif 000019
【図１９】
0004376426.tif 000020
【図２０】
0004376426.tif 000021